(57)【要約】【課題】高い電源効率を有する交流の発光ダイオード装置を提供する。【解決手段】整流器が電源の交流電圧を整流電圧へ変換し、これは制御器に監視される。複数個の発光ダイオードは整流電圧と接地の間に電気的に接続される。複数個のスイッチはこれらの発光ダイオードの少なくとも一部分にそれぞれ対応し、ここでは各スイッチの端は相応する発光ダイオードの電極へ電気的に接続される。制御器は整流電圧によりこれらのスイッチを制御する。【選択図】図１Ａ
2011238898.tif 000002
【特許請求の範囲】
【請求項１】
交流の発光ダイオード装置であって、
電源の交流電圧を整流電圧へ変換する整流器と、
前記整流電圧を監視するための制御器と、
前記整流電圧と接地の間に電気的に接続される複数個の直列する発光ダイオードと、
前記複数個の発光ダイオードの少なくとも一部分にそれぞれ対応する複数個のスイッチと、を含み、
各前記スイッチの一端は相応する前記発光ダイオードの電極に電気的に接続され、また、前記制御器は前記整流電圧により前記スイッチを制御することを特徴とする、交流の発光ダイオード装置。
【請求項２】
前記整流器はブリッジ整流器であり、前記電源の交流電圧の正の半周期を通過し、前記電源の交流電圧の負の半周期を相反させ、全波整流電圧を形成させることを特徴とする、請求項１に記載の交流の発光ダイオード装置。
【請求項３】
前記スイッチの他端は接地、前記整流電圧、共同節点或いは相応する前記発光ダイオードの他電極に電気的に接続されることを特徴とする、請求項１に記載の交流の発光ダイオード装置。
【請求項４】
前記スイッチは電源金属酸化膜半導体（MOS）装置であることを特徴とする、請求項１に記載の交流の発光ダイオード装置。
【請求項５】
前記電源金属酸化膜半導体装置のソース／ドレイン電極の内の一つは相応する前記発光ダイオードのアノードへ接続され、またそのゲート電極は前記制御器に制御されることを特徴とする、請求項４に記載の交流の発光ダイオード装置。
【請求項６】
前記電源金属酸化膜半導体装置のソース／ドレイン電極の内の一つは相応する前記発光ダイオードのアノードへ接続され、他方のソース／ドレイン電極は相応する前記発光ダイオードのカソードへ接続され、またそのゲート電極は前記制御器に制御されることを特徴とする、請求項４に記載の交流の発光ダイオード装置。
【請求項７】
前記スイッチは前記制御器に制御され、導通した前記発光ダイオード数と前記整流電圧の大小を正比例させることを特徴とする、請求項１に記載の交流の発光ダイオード装置。
【請求項８】
前記スイッチは前記制御器に制御され、導通した直列になる前記発光ダイオードの順方向電圧を前記整流電圧に等しくさせることを特徴とする、請求項１に記載の交流の発光ダイオード装置。
【請求項９】
ノイズを感知した時、前記制御器は前記ノイズを無視し前記スイッチの状態を変更しないことを特徴とする、請求項１に記載の交流の発光ダイオード装置。
【請求項１０】
前記発光ダイオードに電気的に直列接続され、前記発光ダイオードを流れる発光ダイオードの電流を感知し、また感知した前記発光ダイオードの電流を前記制御器へ送る電流制御回路を更に含むことを特徴とする、請求項１に記載の交流の発光ダイオード装置。
【請求項１１】
前記発光ダイオードの温度を感知し、また感知した前記温度を前記制御器へと送る熱感知器を更に含むことを特徴とする、請求項１に記載の交流の発光ダイオード装置。
【請求項１２】
少なくとも一つの前記スイッチは発光ダイオード群に対応することを特徴とする、請求項１に記載の交流の発光ダイオード装置。
【請求項１３】
前記整流電圧と接地の間に接続され、前記整流電圧中に平滑ビームフォーミングを形成させる平滑コンデンサを更に含むことを特徴とする、請求項１に記載の交流の発光ダイオード装置。
【請求項１４】
前記制御器は前記発光ダイオードを流れる発光ダイオードの電流を制御し、前記発光ダイオードを流れる電流は前記電源の交流電圧から分配された電流に相反して分配されることを特徴とする、請求項１に記載の交流の発光ダイオード装置。
【請求項１５】
相応する前記発光ダイオードに電気的に並列に接続されるツェナー（Zener）ダイオードを更に含み、前記ツェナーダイオードの電流方向は前記相応する発光ダイオードの電流方向に相反することを特徴とする、請求項１に記載の交流の発光ダイオード装置。
【請求項１６】
直列される前記発光ダイオードの両端に接続され、前記直列される発光ダイオード間の電圧差を吸収する差分ユニットを更に含み、前記電圧差は前記制御器へ送られることを特徴とする、請求項１に記載の交流の発光ダイオード装置。
【請求項１７】
感知前記発光ダイオードの明度を感知し、また感知した前記明度を前記制御器へ送る少なくとも一つの光感知装置を更に含むことを特徴とする、請求項１に記載の交流の発光ダイオード装置。
【請求項１８】
前記光感知装置はフォトレジスター、フォトトランジスタ或いは光ダイオードであることを特徴とする、請求項１７に記載の交流の発光ダイオード装置。
【請求項１９】
複数個の前記光感知装置は異なる色相の前記発光ダイオードの明度をそれぞれ感知することを特徴とする、請求項１７に記載の交流の発光ダイオード装置。
【請求項２０】
前記制御器は信号を受け、前記電流制御回路により前記発光ダイオードを制御することを特徴とする、請求項１０に記載の交流の発光ダイオード装置。
【発明の詳細な説明】
【技術分野】
【０００１】
本発明は、交流の発光ダイオード装置に関し、より詳しくは、交流の発光ダイオードライトに関する。
【背景技術】
【０００２】
発光ダイオードライトは発光ダイオードを光源として利用するものである。従来の蛍光灯と比較し、発光ダイオードライトは耐用年数が長くエネルギー消費も少ないため、光源装置として用いられてきた。
【０００３】
発光ダイオードは一般的に直流電源装置或いは交流を直流へ変換するコンバータ（変圧器等）を用い運用される。然しながら、従来の変圧器の変換効率は最高でも僅か９０％程度で、また通常はこの値よりも低い。さらに、従来の変圧器には大型コンデンサ或いは大型コイル、又はその両方が使用されるため、その体積が大きくなった。
【０００４】
このほか、各地域或いは国家の発光ダイオードライトは特定の交流電源を使用する必要があり、その電圧範囲は１００−２４０ボルト、周波数は５０或いは６０ヘルツである。このため、再設計する以外には、ある地域で使用される発光ダイオードライトを他地域でも使えるようにはならない。
【０００５】
従来の発光ダイオードライトの他の欠点として電源ノイズの影響を受け易くライトが誤作動される点が挙げられる。もしも電源ノイズを減らしたいのならば、一般的には更に多くのコンデンサ或いはコイル、又は両方を使用しなければならない。
【発明の概要】
【発明が解決しようとする課題】
【０００６】
従って、前述した従来の技術では、有効的に光源を提供できず、そのために新型の発光ダイオードライトを提供しなければならず、それは高い電源効率を有し、体積も小さく、各種電源電圧に適用される、或いは電源ノイズの影響を低下させるものでなければならない。
【０００７】
本発明は、このような従来の問題に鑑みてなされたものである。上記課題解決のため、本発明は、高い電源効率を有する交流の発光ダイオード装置を提供することを主目的とする。
【課題を解決するための手段】
【０００８】
上述した課題を解決し、目的を達成するために、本発明に係る交流の発光ダイオード装置は、
電源の交流電圧を整流電圧へ変換する整流器と、
整流電圧を監視するための制御器と、
整流電圧と接地の間に電気的に接続される複数個の直列する発光ダイオードと、
複数個の発光ダイオードの少なくとも一部分にそれぞれ対応する複数個のスイッチを含み、
ここでは各スイッチの一端は相応する発光ダイオードの電極に電気的に接続され、また、制御器は整流電圧によりスイッチを制御することを特徴とする。
【図面の簡単な説明】
【０００９】
【図１Ａ】本発明に係る実施形態の高い電源効率の交流の発光ダイオード装置である。
【図１Ｂ】スイッチになる電源金属酸化膜半導体装置及びこれに相応する発光ダイオードである。
【図１Ｃ】図１Ａの実施形態の代替となる、異なるスイッチ配置を有する他の実施形態である。
【図１Ｄ】図１Ｃのスイッチになる電源金属酸化膜半導体装置及び相応する発光ダイオードである。
【図１Ｅ】交流の発光ダイオード装置の電流制御回路とスイッチの各種配置の組み合わせである。
【図１Ｆ】交流の発光ダイオード装置の電流制御回路とスイッチの各種配置の組み合わせである。
【図１Ｇ】交流の発光ダイオード装置の電流制御回路とスイッチの各種配置の組み合わせである。
【図２Ａ】本発明に係る他の実施形態の高い電源効率の交流の発光ダイオード装置である。
【図２Ｂ】図２Ａの代替となる実施形態である。
【図３Ａ】本発明に係るまた別の実施形態の高い電源効率の交流の発光ダイオード装置である。
【図３Ｂ】図３Ａの代替となる実施形態である。
【図３Ｃ】図３Ａ、図３Ｂの代替となる実施形態である。
【図４Ａ】平滑ビームフォーミングの整流電圧Ｖｒの波形と、相応する電流Ｉｒと再分配される発光ダイオード電流の例示である。
【図４Ｂ】平滑ビームフォーミングではない整流電圧Ｖｒの波形と再分配される発光ダイオード電流の例示である。
【図５Ａ】ツェナー（Zener）ダイオードが発光ダイオードへ電気的に並列に接続される様子である。
【図５Ｂ】交流の発光ダイオード装置の一部が、無効な発光ダイオードを感知する様子である。
【図６】交流の発光ダイオード装置の一部が、光感知装置を使用し明度を感知する様子である。
【図７Ａ】部分的な交流の発光ダイオード装置である。
【図７Ｂ】電流制御回路が制御する発光ダイオード電流の波形の例示である。
【発明を実施するための形態】
【００１０】
以下に図面を参照して本発明を実施するための形態について、詳細に説明する。なお、本発明は、以下に説明する実施形態に限定されるものではない。
【００１１】
本発明の実施形態に係る交流の発光ダイオード装置は図１Ａに示す本発明に係る実施形態の高い電源効率の交流の発光ダイオード装置である。交流の発光ダイオード装置は直接交流電源を操作し、直流変換器を使用する必要は無い。本実施形態は発光ダイオードを使用するものの、たとえば有機発光ダイオード（OLED）等の他の光源装置も使用できる。
［第１実施形態］
【００１２】
本実施形態において、交流の発光ダイオード装置（例えば交流の発光ダイオードライト）は、電源の交流電圧（例えば正弦波形電圧）の正の半周期を通過し、負の半周期を相反させ、全波整流電圧Ｖｒを形成させるブリッジ整流器等の整流器１０を含む。整流電圧Ｖｒは制御器１２に監視される。制御器１２はハードウェア回路、マイクロプロセッサー、プログラマブルロジックデバイス（programmable logic device、 PLD）、プログラマブルアレイロジック（programmable array logic、 PAL）或いは本説明書の以下に詳述する内の一つ或いは複数の機能を持つ他の装置でも良い。
【００１３】
直列になる複数個の発光ダイオードＤ０−Ｄｎは整流電圧Ｖｒと接地の間に電気的に接続され、ここでは、発光ダイオード電流は整流電圧Ｖｒから接地へと流れる。本実施形態の、”電気的接続”は電子部材間が電気により直接或いは間接的に接続される事を指す。本実施形態は一列になる発光ダイオードを使用するが、他の実施形態においては、並列になる複数列の発光ダイオードを使用してもよい。
【００１４】
本実施形態では、各発光ダイオードＤ１−Ｄｎ（D0以外）の一つの電極（例えばアノード）は相応するスイッチＳ１−Ｓｎの一端に電気的に接続される。スイッチＳ１−Ｓｎの他端は接地に電気的に接続される。これにより、スイッチ（例えばスイッチ11）が閉鎖された時には、相応する発光ダイオード（例えば発光ダイオード11）とそれに後続する全ての発光ダイオード（例えば発光ダイオードD12-Dn等の、ナンバーが11より大きいもの）はオフ状態になる。本実施形態と他の実施形態では、発光ダイオードＤ０はスイッチに相応せず、主に整流電圧Ｖｒと接地の間のショートの防止に用いられる。当然ながら、整流電圧Ｖｒと接地の間のショートを回避するために一個以上の発光ダイオードを使用しても良い。スイッチＳ１−Ｓｎの実施については、例えばＮ型金属酸化膜半導体（NMOS）、Ｐ型金属酸化膜半導体（PMOS）或いは相補型金属酸化膜半導体（CMOS）等の電源金属酸化膜半導体（MOS）装置を使用する。本実施形態は金属酸化膜半導体を使用するが、他の形式のトランジスタを使用しても良い。図１Ｂはスイッチとなる電源金属酸化膜半導体装置と相応する発光ダイオードを示す。ここでは、電源金属酸化膜半導体装置のソース／ドレイン電極の内の一つは接地に接続され、他方のソース／ドレイン電極は相応する発光ダイオードのアノードへと接続され、ゲート電極は制御器１２の制御を受ける。図１Ｃは図１Ａの交流の発光ダイオード装置の他の代替となる実施形態を示し、これはスイッチＳ１−Ｓｎの異なる配置を有する。ここでは、各スイッチＳ１−Ｓｎの一端は相応する発光ダイオードのアノードへ電気的に接続され、各スイッチＳ１−Ｓｎの他端は相応する発光ダイオードのカソードへ電気に接続される。図１Ｄは図１Ｃのスイッチになる電源金属酸化膜半導体装置と相応する発光ダイオード及び相応するスイッチを示す。ここでは、電源金属酸化膜半導体装置のソース／ドレイン電極の内の一つは相応する発光ダイオードのアノードに接続され、他方のソース／ドレイン電極は相応する発光ダイオードのカソードに接続され、ゲート電極は制御器１２に制御される。制御器１２は整流電圧Ｖｒを以ってスイッチＳ１−Ｓｎのオン/オフを制御する。詳細すると、制御器１２はスイッチＳ１−Ｓｎを制御し、導通する発光ダイオード数は整流電圧Ｖｒの大小に左右され、導通する発光ダイオード数と整流電圧Ｖｒの大小は正比例する。また、導通する発光ダイオードの直列の順方向電圧はほぼ整流電圧Ｖｒに等しい。このため、ほぼ全ての整流電源は光エネルギーへ変換され、高い電源効率が得られる。計算或いは実験によれば、本実施形態の電源効率は９０−９８％にも達し、或いは更に高い。下記の表一は整流電圧Ｖｒと相応しての発光ダイオードの導通の有無を、各発光ダイオードの順方向電圧を３．３ボルトと仮定した場合の相関を例示する。スイッチの閉鎖の数字が小さい程スイッチは閉まっている。
【００１５】
【表１】
2011238898.tif 000003
【００１６】
本実施形態に示す交流の発光ダイオード装置の他の長所は電源の交流電圧のノイズの影響を受けない事である。制御器１２が電源の交流電圧よりも更に鋭い信号波形のノイズを感知した時、制御器１２はそのノイズを除去し、このためスイッチＳ１−Ｓｎの状態は変わらず、交流の発光ダイオード装置は更なるノイズ抵抗を得、またフラッシュも少なくなる。
【００１７】
また、直列の順方向電圧は整流電圧Ｖｒの大小に左右され、これにより、本実施形態に示す交流の発光ダイオード装置は各地域或いは国家の異なる電圧及び周波数に適用可能となる。
【００１８】
本実施形態に示す交流の発光ダイオード装置は発光ダイオードＤ０−Ｄｎに電気的に直列に接続される電流制御回路１４をさらに含む。図１Ａは、整流電圧Ｖｒと発光ダイオードＤ０のアノードの間に電気的に接続される電流制御回路１４を示す。各スイッチＳ１−Ｓｎの一端は相応する発光ダイオードＤ１−Ｄｎのアノードに電気に接続され、各スイッチＳ１−Ｓｎの他端は接地に電気に接続される。電流制御回路１４の配置位置は図１Ａに示すものとは異なっても良い。電流制御回路１４は直列の発光ダイオードＤ０−Ｄｎを流れる発光ダイオード電流を感知し、例えば発光ダイオードＤ０−Ｄｎと直列になる電気抵抗を使用して感知する。感知した電流は制御器１２へと送られる。例中では、感知された電流は発光ダイオード電流が予め設定された臨界値を超過したことを示し、そのため制御器１２は導通する発光ダイオード数を調整し、或いは全ての直列する発光ダイオードをオフにする。電流制御回路１４の実施は従来の電流を制御する技術を使用し、仔細についてはここでは省略する。
【００１９】
図１Ｅは交流の発光ダイオード装置の電流制御回路１４とスイッチＳ１−Ｓｎの他の配置の組み合わせを示す。電流制御回路１４は発光ダイオードＤｎのカソードと接地の間に電気的に接続される。各スイッチＳ１−Ｓｎの一端は相応する発光ダイオードＤ１−Ｄｎのアノードに電気に接続され、各スイッチＳ１−Ｓｎの他端は共同節点Ｃに電気に接続され、これは電流制御回路１４と発光ダイオードＤｎの間に位置する。本配置の組み合わせは、図１Ｂに示す電源金属酸化膜半導体装置にとってのもので、そのソース／ドレイン電極の内の一つは共同節点Ｃに接続され、他方のソース／ドレイン電極は相応する発光ダイオードのアノードに接続され、またゲート電極は制御器１２に制御される。
【００２０】
図１Ｆは交流の発光ダイオード装置の電流制御回路１４とスイッチＳ１−Ｓｎのまた他の配置の組み合わせを示す。電流制御回路１４は発光ダイオードＤ０のカソードと接地の間に電気的に接続される。各スイッチＳ１−Ｓｎの一端は相応する発光ダイオードＤ１−Ｄｎのカソードに電気に接続され、各スイッチＳ１−Ｓｎの他端は整流電圧Ｖｒに電気に接続される。本配置の組み合わせは、図１Ｂに示す電源金属酸化膜半導体装置にとってのもので、そのソース／ドレイン電極の内の一つは整流電圧Ｖｒに接続され、他方のソース／ドレイン電極は相応する発光ダイオードのカソードに接続され、またゲート電極は制御器１２に制御される。
【００２１】
図１Ｇは交流の発光ダイオード装置の電流制御回路１４とスイッチＳ１−Ｓｎのさらに他の配置の組み合わせを示す。電流制御回路１４は整流電圧Ｖｒと発光ダイオードＤｎのアノードの間に電気的に接続される。各スイッチＳ１−Ｓｎの一端は相応する発光ダイオードＤ１−Ｄｎのカソードに電気に接続され、各スイッチＳ１−Ｓｎの他端は共同節点Ｄに電気に接続され、これは電流制御回路１４と発光ダイオードＤｎの間に位置される。本配置の組み合わせは、図１Ｂに示す電源金属酸化膜半導体装置にとってのもので、そのソース／ドレイン電極の内の一つは共同節点Ｄに接続され、他方のソース／ドレイン電極は相応する発光ダイオードのカソードに接続され、またゲート電極は制御器１２に制御される。
【００２２】
交流の発光ダイオード装置は、発光ダイオードＤ０−Ｄｎの（周辺）温度の感知に用いられる熱感知器１６をさらに含む。感知された温度は制御器１２に送られる。例中では、感知された温度は発光ダイオードの温度が予め設定された臨界値を超過したことを示し、発光ダイオードの順方向電圧は温度の効果により低下し、この時、制御器１２は導通する発光ダイオードの数を増加させ低下した順方向電圧を補う。他の例では、感知された温度は発光ダイオードの温度が予め設定された臨界値を超過したことを示し、この時、制御器１２は電流制御回路１４を制御し発光ダイオード電流を減少させ、発光ダイオードの損害を防止する。上述の制御器１２は、電流制御回路１４、発光ダイオードＤ０−Ｄｎ、スイッチＳ１−Ｓｎ及び熱感知器１６の一部分或いは全部が同一のパッケージ構造内にパッケージングされる。
［第２実施形態］
【００２３】
図２Ａは本発明に係る他の実施形態の高い電源効率の交流の発光ダイオード装置を示す。本実施形態の交流の発光ダイオード装置は図１Ａの交流の発光ダイオード装置に類似し、異なる部分は、本実施形態の各スイッチは一つ或いは複数個の発光ダイオード（或いは発光ダイオード群１８）に対応することである。例えば図２Ａは、各スイッチが三個の発光ダイオードが組成する発光ダイオード群に対応するのを示す。各個の発光ダイオード群１８の発光ダイオード数は必ずしも同数ではない。図２Ｂは図２Ａの他の代替になる実施形態を図示し、ここでは、発光ダイオード群は三個の発光ダイオードを各々有するが、然しながら他の発光ダイオードは相応するスイッチに個別に独立して対応する。図１Ｃの発光ダイオードは図２Ａ或いは図２Ｂに類似した発光ダイオード群を形成する。電流制御回路１４とスイッチの他の配置の組み合わせは図１Ｃ、図１Ｅ、図１Ｆ或いは図１Ｇに示す配置を使用する。実施形態においては、導通による点滅順序は、発光ダイオード群内の発光ダイオード個数＝２を底数として、また指数は順々に増加し、即ち２1、２2、・・・２nとなる。これらの発光ダイオード群は外側へと円心に排列される同心円となり、順に導通し点滅していく時に、集中する点光源を呈する。上述の発光ダイオード群は各種応用において、発光ダイオード群内の発光ダイオード個数とその排列方式は特定の設計をとる。
［第３実施形態］
【００２４】
図３Ａは本発明に係るまた他の実施形態の高い電源効率の交流の発光ダイオード装置を示す。本実施形態の交流の発光ダイオード装置は図１Ａの交流の発光ダイオード装置に類似し、異なる部分は、本実施形態のブリッジ整流器１０後部に平滑コンデンサＣｓが接続され、これは整流電圧Ｖｒと接地の間に接続され、これにより、平滑コンデンサＣｓの余剰な整流電圧Ｖｒに平滑ビームフォーミングを有するようにさせる。詳しくは、平滑コンデンサＣｓは整流電圧Ｖｒの振幅を平滑に下降させ、電源の交流電圧が整流電圧Ｖｒより大きくなるようにさせる。これにより、整流電圧Ｖｒは予め設定された値より低くなることはない。これを鑑みると、本実施形態のオープンエンド型発光ダイオード１９は常に導通し、このため相応するスイッチは必要ない。オープンエンド型発光ダイオード１９の後部に位置する発光ダイオードは図１Ａに示す配置の組み合わせをとり、個別に独立してスイッチに対応する。図３Ｂは図３Ａの他の代替になる実施形態を示し、オープンエンド型発光ダイオード１９の後部に位置する発光ダイオードは発光ダイオード群を組成し、相応するスイッチに対応する。図３Ｃは図３Ａと、図３Ｂのまた他の代替になる実施形態を示し、オープンエンド型発光ダイオード１９の後部に位置する発光ダイオードは、幾つかは発光ダイオード群を組成し、他の発光ダイオードは個別に独立して相応するスイッチに対応する。図１Ｃの交流の発光ダイオード装置は平滑コンデンサＣｓを含み、また図１Ｃの発光ダイオードは図３Ａと、図３Ｂ或いは図３Ｃに類似した発光ダイオード群を形成する。電流制御回路１４とスイッチの他の配置の組み合わせは図１Ｃ、図１Ｅ、図１Ｆ或いは図１Ｇに示す配置を使用する。
［第４実施形態］
【００２５】
図４Ａは平滑ビームフォーミングを有する整流電圧Ｖｒの波形及び電流Ｉｒを例示する。各半周期の時間ｔ１−ｔ２期間に、電流Ｉｒは不均等に交流電源から流入されるため、その力率（power factor）は大きくない。これを鑑みれば、発光ダイオードを流れる発光ダイオード電流ＩLEDは制御でき、その電流の分配を電流Ｉｒの分配に相反させ、これは図４Ａに図示する。これにより、再分配された発光ダイオード電流ＩLEDは各半周期の時間ｔ１−ｔ２期間外に置かれ、交流電源から流入される。これにより、電源は再分配機制されてシステムに出力されることでピーク値の電源の負担は軽減され、交流電源の力率と使用効率は増進される。上述の電源再分配機制は発光ダイオード以外の一般的な負担にも使用される。図４Ｂは平滑ビームフォーミングを有するものではない整流電圧Ｖｒの波形と発光ダイオードを流れる発光ダイオード電流ＩLEDを例示する。発光ダイオード電流ＩLEDは再分配後、システムに出力される電源のピーク値の負担は軽減され、交流電源の力率と使用効率は増進される。
［第５実施形態］
【００２６】
本発明の実施形態によれば、交流の発光ダイオード装置は無効な発光ダイオードを自分で調整できる。図５Ａに図示する、ツェナー（Zener）ダイオードＤＺは発光ダイオードに電気的に並列に接続され、その電流方向が互いに相反する。発光ダイオードが損害され無効化された時、発光ダイオード電流はツェナーダイオードＤＺの反対方向を流れ、無効の発光ダイオードを迂回する。
【００２７】
図５Ｂは無効な発光ダイオードを感知する、部分的な交流の発光ダイオード装置を示す。差分ユニット５０は直列になる発光ダイオードの両端に接続され、直列になる発光ダイオードの余剰な電圧差を吸収する。その電圧差は制御器１２へ出力される。電圧差を根拠に、制御器１２は異常な電圧差を感知し、これは一つ或いは複数個の無効な発光ダイオードの存在を示す。
［第６実施形態］
【００２８】
本発明の実施形態によれば、交流の発光ダイオード装置は自分で明度を校正できる。図６は部分的な交流の発光ダイオード装置を示し、これは光感知装置６０を使用し、例えばフォトレジスター（例えば硫化カドミウム（CdS））で明度を感知する。本実施形態はフォトレジスターを使用するが、他形式の光感知装置６０を使用しても良く、例えばフォトトランジスタ、光ダイオード或いは他の光線を感知できる装置等がある。制御器１２が光感知装置６０の出力により明度不足を捉えた時、制御器１２は導通される発光ダイオード数或いは電流制御回路１４により発光ダイオード電流を増加させ、必要な明度を補う。他の例中では、複数個の光感知装置を使用しそれぞれが観測を行い異なる色相の発光ダイオードの明度を校正させ、交流の発光ダイオード装置の色温度も校正させ、老朽化した交流の発光ダイオード装置が原因の色温度の低下現象を補う。
［第７実施形態］
【００２９】
本発明の実施形態によれば、交流の発光ダイオード装置は交流の発光ダイオード装置の光の調節を行える。図７Ａは部分的な交流の発光ダイオード装置を示し、図７Ｂは電流制御回路１４が制御する発光ダイオード電流の波形を例示する。例えば無線リモコン或いは有線の制御インターフェース等から受信した信号を基に、制御器１２は電流制御回路１４を制御し、これはパルス幅変調（PWM）波形（図７Ｂに図示する）により発光ダイオードの導通時間の制御を行い、ここではパルス幅変調の主動的な幅は導通と全閉鎖の間である。
【００３０】
前記実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、請求項に含まれるものとする。
【符号の説明】
【００３１】
１０  整流器
１２  制御器
１４  電流制御回路
１６  熱感知器
１８  発光ダイオード群
１９  オープンエンド型発光ダイオード
５０  差分ユニット
６０  光検出装置
Ｄ０−Ｄｎ  発光ダイオード
Ｓ１−Ｓｎ  スイッチ
Ｖｒ  整流電圧
Ｃ  共同節点
Ｄ  共同節点
Ｃｓ  平滑コンデンサ
Ｉｒ  整流電流
ＩLED 発光ダイオードの電流
ＤＺ  ツェナーダイオード
【図１Ａ】
2011238898.tif 000004
【図１Ｂ】
2011238898.tif 000005
【図１Ｃ】
2011238898.tif 000006
【図１Ｄ】
2011238898.tif 000007
【図１Ｅ】
2011238898.tif 000008
【図１Ｆ】
2011238898.tif 000009
【図１Ｇ】
2011238898.tif 000010
【図２Ａ】
2011238898.tif 000011
【図２Ｂ】
2011238898.tif 000012
【図３Ａ】
2011238898.tif 000013
【図３Ｂ】
2011238898.tif 000014
【図３Ｃ】
2011238898.tif 000015
【図４Ａ】
2011238898.tif 000016
【図４Ｂ】
2011238898.tif 000017
【図５Ａ】
2011238898.tif 000018
【図５Ｂ】
2011238898.tif 000019
【図６】
2011238898.tif 000020
【図７Ａ】
2011238898.tif 000021
【図７Ｂ】
2011238898.tif 000022